(57)【要約】【課題】視聴者反響の計測を簡単かつ低コストで行うことを可能にする携帯情報端末用プログラムを提供する。【解決手段】視聴者は、ＴＶ番組が実施するキャンペーンに応募するために、放送画面に表示されたＡＲマーカーを自己の携帯端末を利用してキャプチャする。ＡＲマーカーには、放送されているＴＶ番組に対応するコンテンツＩＤが含まれている。続いて、携帯端末は、そのＡＲマーカーからコンテンツＩＤを読み取るとともに、読み取ったＩＤと視聴者情報を、インターネットを介してサーバー装置に送信する。視聴者情報には、例えばオープンＩＤなどを利用することが可能である。これらの情報を受信したサーバー装置は、キャンペーンに応募した携帯端末に対して、スタンプ画像などの特典データを送信する。また、サーバー装置は、登録された携帯端末に対して、キャンペーン情報を一斉配信する。その結果、視聴者は魅力的なキャンペーンを事前に確認できる。【選択図】図１
2015198313.tif 000002
【特許請求の範囲】
【請求項１】
テレビ視聴者の携帯型情報端末に実行させるプログラムであって、
放送されているコンテンツに対応する識別情報を含んでおり、放送画面に表示されたＡＲマーカーをキャプチャするステップと、
キャプチャしたＡＲマーカーに含まれる前記識別情報を読み取るステップと、
読み取った前記識別情報と、視聴者情報とを、所定のサーバー装置に送信するステップと、
前記コンテンツに対応する視聴者向けキャンペーン情報を表示するステップと、
を実行させるための情報処理プログラム。
【請求項２】
テレビ視聴者の携帯型情報端末に実行させるプログラムであって、
放送されているコンテンツに対応する識別情報と、前記コンテンツに対応する視聴者向けキャンペーン情報とを含んでおり、放送画面に表示されたＡＲマーカーをキャプチャするステップと、
キャプチャしたＡＲマーカーに含まれる前記識別情報と前記キャンペーン情報を読み取るステップと、
読み取った前記識別情報と、視聴者情報とを、所定のサーバー装置に送信するステップと、
読み取った前記視聴者向けキャンペーン情報を表示するステップと、
を実行させるための情報処理プログラム。
【請求項３】
前記キャンペーン情報に対応する特典データを受信するステップを、更に含んでいることを特徴とする請求項１又は２に記載の情報処理プログラム。
【請求項４】
前記ＡＲマーカーは、前記キャンペーン情報に対応する特典を有効に取得できる制限時間に関するタイムリミット情報を含んでいる、ことを特徴とする請求項１乃至３の何れかに記載の情報処理プログラム。
【請求項５】
放送予定のテレビ番組や広告などのコンテンツに関する放送予定情報と、
前記コンテンツのそれぞれに対応するキャンペーン情報とを、
表示するステップを更に含んでいることを特徴とする請求項１乃至４の何れかに記載の情報処理プログラム。
【請求項６】
前記ＡＲマーカーは、放送時間に関する時間情報を更に含んでおり、
読み取ったＡＲマーカーに含まれる前記時間情報を、他の情報とともに、前記サーバー装置に送信する、ことを特徴とする請求項１乃至５の何れかに記載の情報処理プログラム。
【請求項７】
前記ＡＲマーカーは、放送エリアに関するエリア情報を更に含んでおり、
読み取ったＡＲマーカーに含まれる前記エリア情報を、他の情報とともに、前記サーバー装置に送信する、ことを特徴とする請求項１乃至６の何れかに記載の情報処理プログラム。
【請求項８】
前記サーバーへの送信ステップにおいて、前記携帯型情報端末の位置情報を含めて送信する、ことを特徴とする請求項１乃至７の何れかに記載の情報処理プログラム。
【請求項９】
当該プログラムは、次の何れかの情報を読み出すステップを更に含んでおり、
(a) 情報端末の当該プログラムに対し予め登録されているユーザに関する情報、
(b) 情報端末の他のプログラムに対し予め登録されているユーザに関する情報、
(c) 情報端末に予め登録されているユーザに関する情報、
読み出した前記ユーザに関する情報を、前記視聴者情報としてサーバー装置に送信する、ことを特徴とする請求項１乃至８の何れかに記載の情報処理プログラム。
【請求項１０】
前記視聴者情報がオープンＩＤであることを特徴とする請求項１乃至８の何れかに記載の情報処理プログラム。
【発明の詳細な説明】
【技術分野】
【０００１】
本発明は、テレビジョン放送の視聴者の携帯型情報端末に実行させるプログラムに関するものであり、特に、テレビ画面に表示されたＡＲマーカーを利用して、視聴者の携帯型情報端末をテレビコンテンツに連動させるためのプログラムに関するものである。
【背景技術】
【０００２】
従来より、多くのテレビ（ＴＶ）局を通じて、多種多様なＴＶ番組やＴＶコマーシャルが放送されている。そして、このようなＴＶ番組の視聴率調査や、ＴＶコマーシャルの広告効果を計測する目的で、視聴者参加型のキャンペーンを実施し、放送画面にＱＲコード（登録商標）を表示させることが提案されている。
【０００３】
視聴者は、自己の携帯情報端末でＱＲコード（登録商標）をキャプチャし、そのコードに含まれるＵＲＬをデコードして、ＴＶ局やスポンサー企業が用意した所定のウェブサイトにアクセスする。そして、そのウェブサイト上で、年齢や性別、居住エリア、電子メールアドレスなどの視聴者情報を入力し、そのキャンペーン応募に対する見返りとして、景品などの特典を受け取ることができる。また、ＴＶ局やスポンサー企業は、視聴者が入力した情報を集計し分析することで、視聴率調査や広告効果の分析を行うことができる。
【発明の概要】
【発明が解決しようとする課題】
【０００４】
しかしながら、従来のようなＱＲコード（登録商標）を利用した視聴者反響の収集方法には、次のような問題があった。
【０００５】
まず、ＱＲコードを利用して視聴者反響を調査するためには、少なくとも、各テレビ局ごと、各スポンサー企業ごとに、サーバー装置を用意し、それぞれに集計や解析のための人員を配置する必要があった。そのため、視聴者反響を調査するために、各テレビ局ごと、各スポンサー企業ごとに、専用のウェブサイトや人員を配置する必要があった。
【０００６】
また、ＱＲコードを利用してキャンペーンに応募するためには、視聴者は、単に所定のウェブサイトにアクセスするだけでは足りず、そのウェブサイト上で年齢や性別、電子メールアドレスなどの視聴者情報を入力する必要があった。そのため、そのような手間のかかる入力操作が心理的障壁となって、キャンペーンの応募が妨げられ、思うように視聴者反響を収集することができなかった。
【０００７】
また、ＴＶ番組やスポンサー企業が実施するキャンペーンは、ＴＶ局ごとに、或いは、番組ごとに個別に告知されていた。このような個別的に告知する手法では、潜在的視聴者のすべてにキャンペーンの実施を告知することができなかった。そのため、視聴者からは、ＴＶコンテンツに関するあらゆるキャンペーン情報とその特典を一元的に且つ網羅的に確認できるようなサービスの登場が望まれていた。
【０００８】
そこで、上述した従来技術の問題点に鑑み、本発明の目的は、視聴者反響や広告効果の計測を簡単かつ低コストで行うことを可能にし、ＴＶコンテンツに関するキャンペーンの応募に煩わしい手間がかかることがなく、しかも、視聴者に対してキャンペーン情報を一元的に且つ網羅的に提供できる携帯情報端末用プログラムを提供することにある。
【課題を解決するための手段】
【０００９】
上記目的は、テレビ視聴者の携帯型情報端末に実行させるプログラムであって、
放送されているコンテンツに対応する識別情報を含んでおり、放送画面に表示されたＡＲマーカーをキャプチャするステップと、
キャプチャしたＡＲマーカーに含まれる前記識別情報を読み取るステップと、
読み取った前記識別情報と、視聴者情報とを、所定のサーバー装置に送信するステップと、
前記コンテンツに対応する視聴者向けキャンペーン情報を表示するステップと、
を実行させる携帯型情報端末用の情報処理プログラムによって達成される。
【００１０】
また上記目的は、テレビ視聴者の携帯型情報端末に実行させるプログラムであって、
放送されているコンテンツに対応する識別情報と、前記コンテンツに対応する視聴者向けキャンペーン情報とを含んでおり、放送画面に表示されたＡＲマーカーをキャプチャするステップと、
キャプチャしたＡＲマーカーに含まれる前記識別情報と前記キャンペーン情報を読み取るステップと、
読み取った前記識別情報と、視聴者情報とを、所定のサーバー装置に送信するステップと、
読み取った前記視聴者向けキャンペーン情報を表示するステップと、
を実行させるための携帯型情報端末用の情報処理プログラムによって達成される。
【００１１】
上記プログラムでは、前記キャンペーン情報に対応する特典データを受信するステップを、更に含んでいることが好ましい。
【００１２】
また上記プログラムでは、前記ＡＲマーカーは、前記キャンペーン情報に対応する特典を有効に取得できる制限時間に関するタイムリミット情報を含んでいることが好ましい。
【００１３】
また上記プログラムでは、
放送予定のテレビ番組や広告などのコンテンツに関する放送予定情報と、
前記コンテンツのそれぞれに対応するキャンペーン情報とを、
表示するステップを更に含んでいることが好ましい。
【００１４】
また上記プログラムでは、前記ＡＲマーカーは、放送時間に関する時間情報を更に含んでいることが好ましく、また、読み取ったＡＲマーカーに含まれる前記時間情報を、他の情報とともに、前記サーバー装置に送信することが好ましい。
【００１５】
また上記プログラムでは、前記ＡＲマーカーは、放送エリアに関するエリア情報を更に含んでいることが好ましく、また、読み取ったＡＲマーカーに含まれる前記エリア情報を、他の情報とともに、前記サーバー装置に送信することが好ましい。
【００１６】
また上記プログラムでは、前記サーバーへの送信ステップにおいて、前記携帯型情報端末の位置情報を含めて送信することが好ましい。
【００１７】
また上記プログラムでは、次の何れかの情報を読み出すステップを更に含んでいることが好ましく、
(a) 情報端末の当該プログラムに対し予め登録されているユーザに関する情報、
(b) 情報端末の他のプログラムに対し予め登録されているユーザに関する情報、
(c) 情報端末に予め登録されているユーザに関する情報、
また、読み出した前記ユーザに関する情報を、前記視聴者情報としてサーバー装置に送信することが好ましい。
【００１８】
また上記プログラムで利用する前記視聴者情報はオープンＩＤであることが好ましい。
【発明の効果】
【００１９】
請求項１、請求項２に記載のプログラムによれば、携帯型情報端末（視聴者端末）には、放送予定のＴＶコンテンツに関する視聴者向けキャンペーン情報が表示されるようになっている。この「キャンペーン情報」には、当該ＴＶコンテンツを視聴してキャンペーンに応募することで特典が得られる、といった趣旨のメッセージが含まれている。したがって、このようなキャンペーン情報を提供することで、当該端末のユーザの興味関心を引き寄せることができ、また、そのキャンペーンがオファーする魅力的な特典がインセンティブとなって、当該ユーザをテレビ番組や広告の視聴に誘導することが可能になる。
また、請求項１、請求項２に記載のプログラムによれば、放送予定のＴＶコンテンツに関するキャンペーン情報を、スマートフォンなどの携帯型情報端末に表示することができる。したがって、その端末のユーザは、様々なＴＶ局から提供される多種多様なコンテンツのなかから、より魅力的なキャンペーンを実施するコンテンツを選択できるようになる。
さらに、請求項１、請求項２に記載のプログラムによれば、視聴者端末は、ＡＲマーカーから読み取ったコンテンツ識別情報と、視聴者情報とを、関連付けした状態で所定のサーバー装置に自動的に送信する。このように、コンテンツ識別情報と視聴者情報とを、所定のサーバー装置で纏めて集計処理することで、各テレビ局ごとに集計用の機材や人員を配置する必要がなくなる。すなわち従来までは、各テレビ局ごとに、或いは、各番組ごとに視聴者反響を集計処理していたが、本発明によれば、テレビ局の異同にかかわらず、この処理を一元化することが可能になる。したがって、従来に比べて、簡易な設備で且つ低コストで視聴者反響を集計し分析することが可能になる。
さらに、請求項１、請求項２に記載のプログラムによれば、ＡＲマーカーからの情報の読み取りから、サーバーへの必要情報の送信まで、これらの一連のプロセスを視聴者端末に自動処理させることができるので、極めて簡便な操作で視聴者の反響を集めることが可能になる。
【００２０】
請求項３に記載のプログラムによれば、ＴＶ視聴者は、視聴したコンテンツに対応する特典データを自己の携帯端末を介して受けとることができる。このように端末を介して手軽に且つ迅速に特典が受けられるようになれば、それが更なる動機づけとなって、その端末ユーザを更に視聴に誘導することが可能になる。
【００２１】
請求項４に記載のプログラムによれば、ＡＲマーカーは、キャンペーン情報に対応する特典を有効に取得できる制限時間に関する「タイムリミット情報」を含んでいる。このように特典を受け取れる時間に期限を設けることで、視聴者をリアルタイムでの視聴（放送時間とほぼ同時刻での視聴）に誘導することが可能になる。その結果、現在放送されているＴＶコンテンツに対するリアルタイム効果、すなわち、リアルタイムでの視聴者反響や広告効果などを計測することが可能になる。
【００２２】
請求項５に記載のプログラムによれば、視聴者端末には、少なくとも次の情報が表示されるようになっている。
１．放送予定のＴＶ番組や広告などのＴＶコンテンツに関する放送予定情報。
２．ＴＶコンテンツのそれぞれに対応するキャンペーン情報。
すなわち、様々なＴＶコンテンツの放送スケジュールと、それに対応するキャンペーン情報が、ＴＶ局の異同にかかわらずショッピングモールの如く集められ、端末のユーザである視聴者の閲覧に供される。
そして、これらの情報をショッピングモールのように視聴者端末にリスト形式で表示することで、どのコンテンツがいつどのようなキャンペーンを実施するのか、一目瞭然となるので、視聴者にとって魅力的な特典を提供するコンテンツを選択しやすくなる。
【００２３】
請求項６に記載のプログラムは、ＴＶコンテンツとともに放送画面に表示されるＡＲマーカーが、時間情報（放送されている時間に関する情報）を含んでいることを前提としている。そして、キャプチャしたＡＲマーカーに含まれる時間情報を、他の情報とともに、視聴者端末からサーバー装置に送信するようになっている。これにより、いつ放送されたコンテンツに対して、どのような属性の視聴者が反応したのかについて、容易に把握することが可能になる。
【００２４】
請求項７に記載のプログラムは、ＴＶコンテンツとともに放送画面に表示されるＡＲマーカーが、エリア情報（放送地域や受信地域などに関する情報）を含んでいることを前提としている。そして、キャプチャしたＡＲマーカーに含まれるエリア情報を、他の情報とともに、視聴者端末からサーバー装置に送信するようになっている。これにより、どのエリアで放送されたコンテンツに対して、どのような属性の視聴者が反応したのかについて、容易に把握することが可能になる。
【００２５】
請求項８に記載のプログラムによれば、視聴者端末の位置情報もサーバー装置へ送信するようになっている。これにより、ＴＶコンテンツの視聴者の年齢や性別だけでなく、視聴時点での所在地を把握し、集計や分析に反映することが可能になる。
【００２６】
請求項９に記載のプログラムによれば、次の何れかの情報を視聴者情報として、サーバー装置へ送信するようになっている。
(a) 視聴者端末の当該プログラムに対し予め登録されているユーザに関する情報。
(b) 視聴者端末の他のプログラムに対し予め登録されているユーザに関する情報。
(c) 視聴者端末に予め登録されているユーザに関する情報。
このような情報を視聴者情報として利用することにより、サーバー装置へアクセスする度に、視聴者の個人情報等をわざわざ入力する必要がなくなる。すなわち、サーバー装置との間で情報のやり取りをするにあたって、視聴者は、携帯端末をＴＶ画面に向けるだけで足り、何ら煩雑な入力操作を行う必要がない。このように煩雑な操作が不要になる結果、視聴者にとって、キャンペーンに応募する際の心理的障壁が一切排除され、より一層、視聴者をＴＶコンテンツの視聴に誘導できるようになる。また、キャンペーンに応募するための心理的障壁（煩雑な入力操作など）が無くなる結果、視聴者端末を介して、より多くの視聴者反響を集めることが可能になる。
【００２７】
請求項１０に記載のプログラムによれば、視聴者端末からサーバー装置へ送信される視聴者情報として「オープンＩＤ」を利用している。これにより、視聴者に関する情報をより簡単に集めることが可能になる。
【図面の簡単な説明】
【００２８】
【図１】本発明の利用例および本発明による情報処理の流れを概略的に示す図である。
【図２】サーバー装置と携帯型情報端末の概略構成を示すブロック図である。
【図３】サーバー装置から携帯型情報端末への情報配信の処理を示すフローチャートである。
【図４】テレビ視聴者の携帯型情報端末を利用したキャンペーンへの応募処理を示すフローチャートである（第１実施形態）。
【図５】テレビ視聴者の携帯型情報端末を利用したキャンペーンへの応募処理を示すフローチャートである（第２実施形態）。
【図６】テレビ視聴者の携帯型情報端末を利用したキャンペーンへの応募処理を示すフローチャートである（第３実施形態）。
【発明を実施するための形態】
【００２９】
（本発明の概要）
テレビジョン放送の業界では、図１に示すように、テレビ番組やテレビ広告などのコンテンツの放送を担うテレビ局を中心として、主としてスポンサー企業、広告代理店といった業者が関与している。（以下、テレビを「ＴＶ」と略称する。）
【００３０】
図１に示すサーバー運営者は、本発明を実施する際に利用されるサーバー装置を有している。このサーバー運営者は、ＴＶ局やスポンサー企業、広告代理店からの広告出稿を受け付けとともに、ＴＶ番組やＴＶ広告などのコンテンツごとに、ＡＲマーカーを発行する役割を担っている。本実施形態におけるＡＲマーカーはＴＶコンテンツに一対一で対応しており、当該ＴＶコンテンツに組み込まれている。
【００３１】
サーバー運営者によって発行されたＡＲマーカーは、ＴＶコンテンツを識別するための識別情報（コンテンツＩＤ／ユニークＩＤ）を含んでおり、図１に示すように、当該ＴＶコンテンツの放送時に放送画面上に表示される。このＡＲマーカーは、対応するＴＶコンテンツに予め埋め込んである。
【００３２】
ＡＲとは、Augmented Realityの略で、「拡張現実」を意味する。ＡＲマーカーとは、ＡＲ（拡張現実）を実現するためのパターンの画像である。放送画面に表示されたＡＲマーカーは、本発明のプログラムがインストールされた携帯型情報端末の内蔵カメラを利用してキャプチャすることが可能である。また、このＡＲマーカーを読み込むことで、現在放送されているＴＶコンテンツに関する識別情報（コンテンツＩＤ）などの各種情報を、当該端末に取り込むことができる。
【００３３】
例えばサーバー運営者が広告を受け付けた場合には、そのＴＶ広告に関するキャンペーン情報が、視聴者の携帯型情報端末に一斉配信される。携帯型情報端末がサーバー装置から受信したキャンペーン情報は、本発明のプログラムを起動させることで、当該端末のディスプレイに一覧形式で表示することができる。当該端末のユーザであるＴＶ視聴者は、このキャンペーン情報のリストを閲覧することで、放送予定のＴＶコンテンツと、それに対応するキャンペーンの内容や特典を、予め把握することができる。
【００３４】
視聴者は、魅力的なキャンペーンを実施するＴＶコンテンツの放送時間帯に当該コンテンツを視聴し、オファーされたキャンペーンに応募することができる。キャンペーンへの応募には、当該視聴者の携帯型情報端末を利用する。この携帯型情報端末には、本発明のプログラム（携帯端末用アプリケーション）がインストールしてある。
【００３５】
キャンペーンへの応募は、具体的には、放送画面（ＴＶ画面）にＡＲマーカーが表示されたときに、自己の携帯型情報端末の内蔵カメラをその放送画面に向け、当該ＡＲマーカーをキャプチャすることによって行われる。携帯型情報端末によるＡＲマーカーのキャプチャは、当該端末の制御部（プロセッサ等）によって自動的に行われる。
【００３６】
ＡＲマーカーをキャプチャした携帯型情報端末は、当該マーカーからコンテンツＩＤなどの必要情報を読み取ると同時に、同時に、サーバー装置へアクセスする。続いて、視聴者の携帯型情報端末は、読み取ったコンテンツＩＤのほか、視聴者の年齢や性別、端末ＩＤなどの視聴者情報を、サーバー装置へ送信する。
【００３７】
サーバー装置は、視聴者側から送信されたコンテンツＩＤや視聴者情報といった情報を関連付けした状態で記録する。続いて、サーバー装置は、必要に応じて抽選などを実施して、コンテンツＩＤに対応するキャンペーンの特典を、応募元の携帯型情報端末に送信する。特典の具体例としては、例えば、クーポン、ポイント、メッセンジャー・アプリケーションのスタンプ画像、番組オリジナルアプリなどのデジタルデータが挙げられる。
【００３８】
そして、サーバー装置に記録された各種情報は、視聴者反響や広告効果などを計測するための情報として、ＴＶ局やスポンサー企業などの出稿元に提供される。
【００３９】
（サーバー装置および携帯型情報端末の構成）
次に、本発明の情報処理プログラムの実施にあたって用いられるサーバー装置および携帯型情報端末の構成について説明する。
【００４０】
図１に示すサーバー装置は、図２に概略的に示すように、
インターネット経由で各携帯型情報端末との間で情報を送受信するための通信部と、
各種情報を記録するとともに読み出すためのデータベースと、
上記の各部を制御するためのプロセッサなどからなる制御部と、を有している。
【００４１】
サーバー装置のデータベースには、
各視聴者の携帯型情報端末から受信した情報が蓄積されるほか、
発行済のＡＲマーカー、それに対応するＴＶコンテンツのタイトル、当該コンテンツに対応するキャンペーン情報、当該コンテンツの識別情報（コンテンツＩＤ）、当該キャンペーンに対応する特典データなどが読み出し可能に記録されている。
またこのデータベースには、各視聴者の携帯型情報端末の端末ＩＤが登録されている。この端末ＩＤを参照することで、サーバー装置は、視聴者端末に情報を配信することができる。
【００４２】
図１に示す携帯型情報端末は、例えば、スマートフォン、タブレット端末、携帯電話などの、携帯可能なカメラ付き情報端末で構成されている。以下、携帯型情報端末の代表例としてスマートフォンを挙げて説明する。また、以下の説明では、スマートフォンを「スマホ」と略称する。
【００４３】
携帯型情報端末の一例であるスマホは、図２に概略的に示すように、
インターネット経由でサーバー装置との間で情報の送受信をするための無線通信部と、
本発明のプログラムのほか各種情報を読み出し可能に記録するためのメモリと、
キャンペーン情報などの各種情報を表示するためのディスプレイと、
ＡＲマーカーをキャプチャするためのカメラと、
上記の各部を制御するためのプロセッサなどからなる制御部と、を有している。
【００４４】
メモリには、本発明のプログラムが記録されているほか、視聴者（スマホユーザ）に関する情報である視聴者情報や、サーバー装置から受信した各種情報などが記録されている。本発明のプログラムは、例えば、視聴者（スマホユーザ）が特定のウェブサイトからダウンロードすることで、当該スマホにインストールすることができる。
【００４５】
視聴者情報には、スマホユーザの年齢や性別が含まれている。さらにこの視聴者情報には、インターネットを介してサーバー装置から各種情報や特典を受信するための端末ＩＤ（端末識別情報）が含まれている。端末ＩＤの具体例としては、例えば、電子メールアドレス、メッセンジャー・アプリケーションのＩＤ、当該スマホの電話番号などが挙げられる。
【００４６】
サーバー装置から受信する情報には、
放送予定のＴＶ番組やＴＶ広告などのコンテンツに関する放送予定情報、
前記コンテンツのそれぞれに対応するキャンペーン情報、
などが含まれている。
これらの情報は、次の表１に示すように、相互に関連付けした状態で、スマホのメモリに記録されている。
【００４７】
【表１】
2015198313.tif 000003
【００４８】
上記の表１に示すように、キャンペーン情報には、当該キャンペーンへの応募に対する見返りとしての特典が明記されている。この特典の種類は特に限定されないが、例えば、表１に示すように、メッセンジャー・アプリケーションで利用可能なスタンプ画像、ポイント、クーポンコード、スマホ用アプリケーションといったものが挙げられる。
【００４９】
以下、視聴者のスマホで実行される情報処理プログラム（アプリケーション／アプリ）の具体的実施形態について説明する。
【００５０】
（サーバー装置から携帯型情報端末への情報配信処理）
図３は、視聴者のスマホ（携帯型情報端末）が、サーバー装置から、放送予定情報およびキャンペーン情報を受信する際の処理を示すフローチャートである。
【００５１】
サーバー装置は、通常時は、プログラム起動状態でスタンバイしている＜図３のステップS11＞。そして、各視聴者のスマホが持っている放送予定情報およびキャンペーン情報の更新が必要になったと判断した場合には＜S13のYes＞、インターネット経由で、これらの更新情報を、各視聴者のスマホへ送信する＜S15＞。
【００５２】
一方、視聴者のスマホは、情報処理プログラムの起動後に、情報閲覧モードでスタンバイしている＜S21＞。（以下、本発明の情報処理プログラムを「アプリ」と略称する。）そして、サーバー装置から、放送予定情報およびキャンペーン情報の更新リクエストを受け付けると＜S23のYes＞、各視聴者のスマホはこれらの情報をサーバーから受信する＜S25＞。そして、受信した情報に基づいて、スマホのメモリに記録された放送予定情報およびキャンペーン情報を更新する＜S27＞。
【００５３】
更新された放送予定情報およびキャンペーン情報は、スマホのディスプレイに一覧形式で表示され、視聴者の閲覧に供されるようになっている。視聴者は、このキャンペーン情報などの一覧を見ることで、興味関心のある特典が付いたＴＶコンテンツを見つけ出すことができる。
【００５４】
なお、上述したサーバー装置による情報配信は、例えば、非オンタイム（ＴＶコンテンツの視聴時間外）において適時行われる。また、配信のタイミングは、定期であってもよく、或いは、不定期であってもよい。また、情報配信の方法は特に限定されず、プッシュ型でもよく、或いは、プル型でもよい。
【００５５】
（スマホを利用したキャンペーンへの応募処理／第１実施形態）
図４は、視聴者が自己のスマホ（携帯型情報端末）を利用して、ＴＶコンテンツのキャンペーンに応募する際の処理を示すフローチャートである。
【００５６】
はじめに、視聴者のスマホ側での情報処理について説明する。
【００５７】
視聴者のスマホは、アプリの起動後、情報閲覧モードでスタンバイしている＜図４のステップS101＞。情報閲覧モードでは、放送予定情報やキャンペーン情報の一覧（表１参照）が表示されるようになっている。
【００５８】
そして、視聴者が、事前に選択したＴＶコンテンツ（ＴＶ番組や広告などのＴＶ放送）を視聴すると、任意のタイミングで（又は継続的に）、当該コンテンツの放送画面に図１に示すようなＡＲマーカーが表示される。このようにＡＲマーカーが表示されたら（或いは前もって）、視聴者は、起動中のアプリをキャプチャモードにセットする＜S103のYes＞。
【００５９】
続いて視聴者が、スマホのカメラをＴＶ画面に向けると、当該スマホが、画面上に映されているＡＲマーカーをキャプチャするとともに＜S105＞、キャプチャしたＡＲマーカーからコンテンツＩＤ（当該ＴＶコンテンツの識別情報）を読み取る＜S107＞。ＡＲマーカーのキャプチャやコンテンツＩＤの読み取りは、スマホのプロセッサ等によって自動的に行われる。
【００６０】
次に、視聴者のスマホは、読み取ったコンテンツＩＤに対応するキャンペーン情報（表１参照）をメモリから読み出し＜S111＞、そのキャンペーン情報を、スマホのディスプレイに表示する＜S113＞。これにより、視聴者は、これから応募しようとするキャンペーンの内容を最終確認することができる。
【００６１】
そして、スマホは、ＡＲマーカーをキャプチャすると同時に、サーバー装置にアクセスし、読み出したコンテンツＩＤとともに視聴者情報を、当該サーバー装置へ送信する＜S115＞。この視聴者情報には、視聴者であるスマホユーザの年齢や性別が含まれている。さらにこの視聴者情報には、インターネットを介してサーバー装置から特典等を受信するための端末ＩＤ（端末識別情報）が含まれている。端末ＩＤの具体例としては、例えば、電子メールアドレス、メッセンジャー・アプリケーションのＩＤ、当該スマホの電話番号などが挙げられる。
【００６２】
また、上述した視聴者情報として、次のような情報を利用することが可能である。
(a) 本発明のアプリに対し予め登録されているユーザに関する情報。
(b) 別のアプリに対し予め登録されているユーザに関する情報。
(c) 視聴者端末に予め登録されているユーザに関する情報。
なお、上記(b)の情報を視聴者情報として利用する場合には、本発明のアプリと他のアプリとを予め連係させる必要がある。
そして、上記のような情報を視聴者情報として利用することにより、サーバー装置へアクセスする度に、視聴者の個人情報等をわざわざ入力する必要がなくなる。すなわち、サーバー装置との間で情報のやり取りをするにあたって、視聴者は、スマホのカメラをＴＶ画面に向けるだけで足り、何ら煩雑な入力操作を行う必要がない。このように煩雑な操作が不要になる結果、視聴者にとって、キャンペーンに応募する際の心理的障壁が一切排除され、より一層、視聴者をＴＶコンテンツの視聴に誘導できるようになる。また、キャンペーンに応募するための心理的障壁（煩雑な入力操作など）が無くなる結果、視聴者端末を介して、より多くの視聴者反響や広告効果を計測することが可能になる。
【００６３】
続いて、サーバー装置への情報の送信後、スマホは情報閲覧モードに復帰し＜S117＞、適切なタイミングで、サーバー装置から、当該キャンペーンへの応募の見返りである特典を受け取る＜S119＞。視聴者がスマホを介して受ける特典は特に限定されないが、例えば、表１に示すように、メッセンジャー・アプリケーションで利用可能なスタンプ画像、ポイント、クーポンコード、スマホ用アプリケーションといったものが挙げられる。
【００６４】
次に、サーバー装置側での情報処理について説明する。
【００６５】
サーバー装置は、プログラム起動後、スマホからの受信待ち状態でスタンバイしている＜S131＞。そして、スマホ側から情報の送信リクエストがあると、当該情報を受信する＜S133＞。受信する情報には、コンテンツＩＤと視聴者情報が含まれている。
【００６６】
続いて、サーバー装置は、受信したコンテンツＩＤと視聴者情報を関連付けた状態（対応付けた状態）で、データベースに記録する＜S135＞。データベースに記録されたコンテンツＩＤと視聴者情報は、該当するＴＶ局やスポンサー企業などに提供され、視聴者反響や広告効果の解析などに利用される。
【００６７】
次に、必要に応じて抽選などを実施した上で、サーバー装置は、キャンペーンの応募者である視聴者に対し、応募の見返りとして特典を送付する＜S137＞。各スマホへの特典の送付は、インターネット経由で行われる。
【００６８】
（スマホを利用したキャンペーンへの応募処理／第２実施形態）
図５は、キャンペーンへの応募処理の第２実施形態を示している。
以下、前述した第１実施形態（図４）と相違する点について説明し、同様の処理については説明を省略する。
【００６９】
第２実施形態の処理では、スマホがＡＲマーカーから読み取る情報に、「コンテンツＩＤ」のほか、「キャンペーン情報」と「タイムリミット情報」が含まれている＜図４のステップS207＞。
「キャンペーン情報」は、キャプチャしたＡＲマーカーに対応するＴＶコンテンツのキャンペーンに関する情報を含んでいる。
「タイムリミット情報」は、キャンペーン情報に対応する特典を有効に取得できる制限時間に関する情報を含んでいる。この制限時間内に限って、スマホはサーバー装置にアクセスし、キャンペーン応募のための情報を送信することができる。つまり、制限時間を過ぎた後で当該ＡＲマーカーをキャプチャしても、特典を得ることはできない。
【００７０】
スマホは、ＡＲマーカーからキャンペーン情報を読み出すと、そのキャンペーン情報の内容を、スマホのディスプレイに表示する＜S213＞。視聴者は、その表示内容を閲覧することによって、キャンペーンや特典の内容を把握することができる。つまり、本実施形態では、スマホのメモリに記録されたキャンペーン情報が更新されていない場合であっても（図３参照）、ＡＲマーカーから読み込んだキャンペーン情報を参照することで。現在視聴しているＴＶコンテンツのキャンペーン情報を把握することができる。
【００７１】
なお、取得できる特典に関する画像データ（例えば番組オリジナルのスタンプのサンプル画像）をＡＲマーカーに持たせ、これをスマホで読み込んで、ディスプレイに３Ｄ表示させるようにしてもよい。このように視聴者の欲求を視覚的に刺激することで、当該視聴者をＴＶコンテンツの視聴に繰り返し誘導することが可能になる。
【００７２】
続いて、スマホは、ステップS207でＡＲマーカーから読み込んだタイムリミット情報を参照し、当該キャンペーンの特典を有効に取得できる制限時間を超えていないと判断した場合には＜S214のYes＞、サーバー装置へのアクセスを許可し、所定の情報をサーバー装置へ送信する。一方、制限時間を超えていると判断した場合には＜S214のNo＞、サーバー装置へのアクセスを拒否し、キャンペーンへの応募処理を終了して閲覧モードへ復帰する。
【００７３】
このタイムリミット情報の具体的効果としては、例えば、視聴者がリアルタイムで視聴している場合に限って、キャンペーンへの応募を許可することが可能になる。逆に、ＴＶコンテンツを録画し、放送から数時間または数日経過してから視聴している場合には、キャンペーンへの応募を拒否することが可能になる。したがって、ＡＲマーカーにタイムリミット情報を持たせることで、スマホユーザをリアルタイムでの視聴（放送時間とほぼ同時間での視聴）に誘導することが可能になる。また、リアルタイムでの視聴者反響や広告効果を計測することが可能になる。
【００７４】
（スマホを利用したキャンペーンへの応募処理／第３実施形態）
図６は、キャンペーンへの応募処理の第３実施形態を示している。
以下、前述した第１実施形態（図４）および第２実施形態（図５）と相違する点について説明し、同様の処理については説明を省略する。
【００７５】
第３実施形態の処理では、第２実施形態と同様に、スマホがＡＲマーカーから読み取る情報に、「コンテンツＩＤ」のほか、「キャンペーン情報」と「タイムリミット情報」が含まれている＜図６のステップS307＞。ただし、第３実施形態の場合では、スマホ側で制限時間内か否かの判断は行わない。
【００７６】
すなわち、第３実施形態では、ＡＲマーカーから読み取ったコンテンツＩＤ、タイムリミット情報に加えて、視聴者情報を、サーバー装置に送信する＜S315＞。
【００７７】
サーバー装置では、スマホから受信したコンテンツＩＤと視聴者情報を関連付けてデータベースに記録する＜S333, S335＞。続いて、サーバー装置は、スマホから受信したタイムリミット情報を参照し、特典を有効に取得できる制限時間を超えていないと判断した場合には＜S336のYes＞、その特典データをスマホへ送信する。一方、制限時間を超えていると判断した場合には＜S336のNo＞、特典データを送信することなく処理を終えて、スタンバイに戻る。
【００７８】
（その他の実施形態）
上述した実施形態のほか、本発明の技術的範囲には、次に述べるような実施形態も含まれる。
【００７９】
本発明の実施にあたって、放送画面に表示されるＡＲマーカーは、時間情報（放送されている時間に関する情報）を含んでいてもよい。つまり、キャプチャしたＡＲマーカーに含まれる時間情報を、他の情報とともに、スマホからサーバー装置に送信することも可能である。これにより、いつ放送されたコンテンツに対して、どのような属性の視聴者が反応したのかについて、容易に把握することが可能になる。
【００８０】
また本発明の実施にあたって、放送画面に表示されるＡＲマーカーは、エリア情報（放送地域や受信地域などに関する情報）を含んでいてもよい。つまり、キャプチャしたＡＲマーカーに含まれるエリア情報を、他の情報とともに、スマホからサーバー装置に送信することも可能である。これにより、どのエリアで放送されたコンテンツに対して、どのような属性の視聴者が反応したのかについて、容易に把握することが可能になる。
【００８１】
また本発明のプログラムでは、視聴者端末の位置情報を他の情報とともにサーバー装置へ送信することも可能である。これにより、ＴＶコンテンツの視聴者の年齢や性別だけでなく、視聴時点での所在地を把握し、集計や分析に反映することが可能になる。なお、視聴者端末の位置情報には、例えば、当該端末に内蔵のＧＰＳ機能で測位した位置データを利用することができる。
【００８２】
また本発明のプログラムでは、視聴者端末からサーバー装置へ送信される視聴者情報として「オープンＩＤ」を利用することも可能である。これにより、視聴者に関する情報をより簡単に集めることが可能になる。
【００８３】
また本発明のプログラムは、携帯型情報端末にプリインストールされているものでもよく、また、所定のサーバー装置を通じてダウンロード形式で視聴者に提供することも可能である。
【図１】
2015198313.tif 000004
【図２】
2015198313.tif 000005
【図３】
2015198313.tif 000006
【図４】
2015198313.tif 000007
【図５】
2015198313.tif 000008
【図６】
2015198313.tif 000009